(57)【特許請求の範囲】
【請求項１】
上部旋回体の前部にブームを前後回動可能に枢着し、且つ、該上部旋回体の後部にガントリを起伏自在に設け、更に、起伏ドラムから繰り出される起伏ワイヤロープを前記ガントリの先端部を経由させてベイル及びブライドルの各シーブ間に巻回すると共に、該ブライドルをペンダントロープを介して前記ブーム先端に係止するように構成した移動式クレーンに於いて、前記ブライドルのブライドルフレーム下板を段付形状に形成し、輸送時、倒伏させた前記ガントリ又は前記ブームに前記ブライドルを載置させる際、前記ブライドルフレームの前記段付下板の一部を前記ガントリ又は前記ブーム内に嵌入させ、輸送高さを低減させるように構成したことを特徴とする移動式クレーンのブライドル。
【発明の詳細な説明】
【０００１】
【発明の属する技術分野】
この発明は、移動式クレーンのブライドルに関するものであり、特に、クローラクレーン等に於いて、ブライドル付で輸送するクローラクレーンの輸送高さの低減を図るべく、ブライドルの形状を改善した移動式クレーンのブライドルに関するものである。
【０００２】
【従来の技術】
従来の此種移動式クレーンのブライドルを図５乃至図７に従って説明する。図５に於いて、１はクローラクレーンであり、該クローラクレーン１は下部走行体２に上部旋回体３が旋回自在に搭載され、該上部旋回体３の前部にブーム４が前後回動可能に枢着されると共に、該上部旋回体３の後部にガントリ５が起伏自在に設けられている。更に、該上部旋回体３に配置された起伏ドラム６から繰り出される起伏ワイヤロープ７が前記ガントリ５の先端部を経由してベイル８及びブライドル９の各シーブ１０，１０…間に巻回されると共に、該ブライドル９はペンダントロープ１１を介して前記ブーム４先端に係止される。又、該ブーム４の後方に配置したウインチドラム１２から繰り出されるフックロープ１３が前記ブーム４の先端部を経由してフック１４に係止される。
【０００３】
而して、図６（ａ）及び図６（ｂ）に示す如く、前記ブライドル９は複数枚で、且つ、複数列に配列されたシーブ１０，１０…が内装され、該シーブ１０，１０…は前記ペンダントロープ（図５に於いて１１）側の略過半部をブライドルフレーム１５によって被包されていると共に、該ブライドルフレーム１５の下板１５ａは平板に形成されている。
【０００４】
そして、図７（ａ）に示す如く、前記クローラクレーン１を輸送する場合には、前記ブーム（図５に於いて４）を取り除くと共に、前記ガントリ５，５を前記上部旋回体３上に倒伏させ、該ガントリ５，５上に前記ブライドル９を載置及び係止して、前記クローラクレーン１をトレーラ１６等で輸送する。この輸送時に於いて、前記ブライドル９の上部高さが前記クローラクレーン１の輸送高さとなり、該輸送高さは前記ブライドルフレーム１５の高さが高いほど高くなる。
【０００５】
又、図７（ｂ）に示す如く、前記ブーム４を倒伏させて後該ブーム４のトップブーム（図５に於いて４ａ）及び中間ブーム（図５に於いて４ｂ）を取り除き、そして、ボトムブーム４ｃだけを残して、該ボトムブーム４ｃ上に前記ブライドル９を載置して係止し、且つ、前記ボトムブーム４ｃを所定距離持ち上げた状態で輸送を行うことも考えられる。この輸送時に於いても、前記ブライドル９の上部高さが前記クローラクレーン１の輸送高さとなり、該輸送高さは前記ブライドルフレーム１５の高さが高いほど高くなる。
【０００６】
【発明が解決しようとする課題】
上記従来例のクローラクレーンのブライドルはブライドルフレームの下板が平板に形成されており、且つ、輸送時には倒伏させたガントリ、又は、ボトムブーム上に前記ブライドルフレームの下板を載置させるので、前記ブライドルの上部の高さが前記クローラクレーンの輸送高さとなり、且つ、前記ブライドルのブライドルフレームの高さが前記クローラクレーンの輸送高さを高くしていた。
【０００７】
然しながら、クローラクレーンの輸送高さが高いと輸送上で接触等の事故が発生しやすく危険であり、又、該クローラクレーンの輸送高さが法規上の高さを越えると公道の通行が困難になるという問題があった。
【０００８】
そこで、移動式クレーンをブライドル付で輸送する際の輸送高さを低減するために解決すべき技術的課題が生じてくるのであり、本発明はこの課題を解決することを目的とする。
【０００９】
【課題を解決するための手段】
本発明は上記目的を達成するために提案されたものであり、上部旋回体の前部にブームを前後回動可能に枢着し、且つ、該上部旋回体の後部にガントリを起伏自在に設け、更に、起伏ドラムから繰り出される起伏ワイヤロープを前記ガントリの先端部を経由させてベイル及びブライドルの各シーブ間に巻回すると共に、該ブライドルをペンダントロープを介して前記ブーム先端に係止するように構成した移動式クレーンに於いて、前記ブライドルのブライドルフレーム下板を段付形状に形成し、輸送時、倒伏させた前記ガントリ又は前記ブームに前記ブライドルを載置させる際、前記ブライドルフレームの前記段付下板の一部を前記ガントリ又は前記ブーム内に嵌入させ、輸送高さを低減させるように構成した移動式クレーンのブライドルを提供するものである。
【００１０】
【発明の実施の形態】
以下、本発明の一実施の形態を図１乃至図４に従って詳述する。尚、説明の都合上、従来例と同一構成部分については同一符号を付してその説明を省略する。図１（ａ）及び図１（ｂ）に於いて、１７はブライドルであり、該ブライドル１７は複数枚で、且つ、複数列に配列されたシーブ１０，１０…を内装し、該シーブ１０，１０…はペンダントロープ（図５に於いて１１）側の略過半部をブライドルフレーム１８によって被包されている。
【００１１】
而して、前記ブライドル１７内に内装された前記シーブ１０，１０…は３列に配列され、該シーブ１０，１０…の中央列に３枚のシーブ１０，１０，１０が設けられ、両端列に夫々２枚のシーブ１０，１０が設けられている。そして、該シーブ１０，１０…を被包するブライドルフレーム１８の下板１９は前記シーブ１０，１０…枚数の異なる各列に合わせて、中央部１９ａがその両端部１９ｂ、１９ｂより略前記シーブ１０の１枚分下方に位置する段付形状に形成されている。
【００１２】
従って、輸送時、前記ブライドル１７を、倒伏させたガントリ５，５上に載置するときは、前記ブライドルフレーム１８の下板１９の中央部１９ａが前記ガントリ５，５間の中央部に嵌入して載置され、前記ブライドル１７は前記嵌入した分、即ち、略前記シーブ１０の１枚分だけ輸送時の上部高さが低くなり、クローラクレーンの輸送高さが低減する。
【００１３】
次に、前記クローラクレーンを輸送可能状態にする作業について説明する。図２（ａ）に示す如く、先ず、起伏ワイヤロープ７を繰り出してブーム４を倒し、該ブーム４の先端を接地させた後、前記起伏ワイヤロープ７に連結された前記ブライドル１７をボトムブーム４ｃに係止し、そして、トップブーム４ａ及び中間ブーム４ｂを取り外す。更に、図２（ｂ）に示す如く、カウンターウエイト２０を取り除き、次に、図３（ａ）に示す如く、ガントリ５を倒伏させて、前記ブライドル１７を前記ガントリ５，５上に載置し係止する。そして、前記ボトムブーム４ｃを取り除くと、図３（ｂ）に示す如く、前記クローラクレーン１は輸送可能状態になる。この輸送可能状態に於いて、該クローラクレーン１の一番高い位置は前記ブライドル１７の上部になる。然しながら、該ブライドル１７は、前述の図１（ａ）に示す如く、前記ブライドルフレーム１８の下面の一部が前記ガントリ５，５内に嵌入し、前記ブライドル１７の上面が低くなるように形成されているので前記クローラクレーン１の輸送高さも低くなる。
【００１４】
尚、前記ブライドル１７を倒伏させたボトムブーム（図７（ｂ）に於いて４ｃ）上に載置する場合も同様に前記ブライドルフレーム１８の下板１９の中央部１９ａが前記ボトムブームの中央部に嵌入して載置され、前記ブライドル１７は前記嵌入した分、即ち、略前記シーブ１０の１枚分だけ輸送時の上部高さが低くなり、クローラクレーンの輸送高さが低減する。
【００１５】
又、図４は、本発明の他の一実施の形態を示し、図に於いて２１はブライドルであり、該ブライドル２１は複数枚で、且つ、複数列に配列されたシーブ１０，１０…を内装し、該シーブ１０，１０…は中央列に２枚のシーブ１０，１０が設けられ、両端列に夫々３枚のシーブ１０，１０，１０が設けられている。従って、該シーブ１０，１０…を略過半部に於いて被包するブライドルフレーム２２の下板２３は前記シーブ１０，１０…の各列のシーブ枚数に合わせて、中央部２３ａが該中央部２３ａの左側部２３ｂ及び右側部２３ｃより前記シーブ１０の１枚分上方に形成され、且つ、前記左側部２３ｂに隣接して左方に延長する左端部２３ｄが前記中央部２３ａと同様前記シーブ１０の１枚分上方に形成されて、前記下板２３は段付形状に形成されている。従って、前記ブライドル２１を前記ガントリ５，５上に載置するときは、前記ブライドルフレーム２２の下板２３の前記左側部２３ｂが前記ガントリ５，５間の中央部に嵌入し、且つ、前記右側部２３ｃが前記ガントリ５の右側方に位置して載置され、前記嵌入した分だけ、即ち、略前記シーブ１０の１枚分だけ前記ブライドル２１は輸送時の上部高さが低くなり、前記クローラクレーンの輸送高さが低減する。
【００１６】
尚、前記段付形状は、前記シーブ１枚分に限定されるものではなく、又、前記各列のシーブ１０，１０…の枚数に限定されるものでもなく、適宜形状が可能である。
【００１７】
又、本発明は、本発明の精神を逸脱しない限り種々の改変を為すことができ、そして、本発明が該改変されたものに及ぶことは当然である。
【００１８】
【発明の効果】
本発明は上記一実施の形態に詳述したように、移動式クレーンのブライドルのブライドルフレーム下板を段付形状に形成したので、輸送時、倒伏させたガントリ又はブームに前記ブライドルを載置させて輸送する際、前記ブライドルフレームの前記段付下板の一部を前記ガントリ又は前記ブーム内に嵌入させ、輸送高さを低減することが可能となる。
【００１９】
斯くして、本発明は移動式クレーンをブライドル付で輸送する際の輸送高さを低減できる等、正に著大なる効果を奏する発明である。
【図面の簡単な説明】
【図１】（ａ）本発明の一実施の形態を示し、ブライドルの正面図。
（ｂ）本発明の一実施の形態を示し、ブライドルの側面図。
【図２】（ａ）、（ｂ）本発明の一実施の形態を示し、移動式クレーンのブームを取り外して輸送可能状態にする前半の経過を示す側面図。
【図３】（ａ）、（ｂ）本発明の一実施の形態を示し、移動式クレーンのブームを取り外して輸送可能状態にする後半の経過を示す側面図。
【図４】本発明の他の一実施の形態を示し、ブライドルの正面図。
【図５】従来例を示し、移動式クレーンの側面図。
【図６】（ａ）従来例を示し、ブライドルの正面図。
（ｂ）従来例を示し、ブライドルの側面図。
【図７】（ａ）従来例を示し、ブライドルをガントリ上に載置して輸送する状態を示す側面図。
（ｂ）従来例を示し、ブライドルをボトムブーム上に載置して輸送する状態を示す一部側面図。
【符号の説明】
３          上部旋回体
４          ブーム
５          ガントリ
６          起伏ドラム
７          起伏ワイヤロープ
８          ベイル
１０          シーブ
１１          ペンダントロープ
１７，２１    ブライドル
１８，２２    ブライドルフレーム
１９，２３    下板
【図１】
0003770775.tif 000002
【図２】
0003770775.tif 000003
【図３】
0003770775.tif 000004
【図４】
0003770775.tif 000005
【図５】
0003770775.tif 000006
【図６】
0003770775.tif 000007
【図７】
0003770775.tif 000008